(57)【要約】【課題】施錠確認システムの設置に手間や時間がかからないようにし、かつドアの加工を不要とすることにある。【解決手段】錠前機構ＲＭの施錠ノブＲＮに設けられた永久磁石ＭＢからの磁気の変化に基づきその施錠ノブの位置を検出する施錠センサ２と、施錠センサ２の出力信号に基づき錠前機構ＲＭの状態が施錠中か解錠中かを判断して、要求信号を受けた場合にその判断結果に基づく錠状態信号を出力するコントローラＣＰＵ３と、無線で通信回線に接続されていて、その通信回線を介して所定の通信手段から前記要求信号を受けるとその要求信号をコントローラＣＰＵ３に出力し、コントローラＣＰＵ３から前記錠状態信号を受けるとその錠状態信号を前記通信回線を介して前記所定の通信手段に送信する無線電話ユニット４と、を具えてなる施錠確認システムである。【選択図】図１
2006063613.tif 000002
【特許請求の範囲】
【請求項１】
錠前機構の施錠ノブに設けられた永久磁石からの磁気の変化に基づきその施錠ノブの位置を検出する施錠センサと、
前記施錠センサの出力信号に基づき前記錠前機構の状態が施錠中か解錠中かを判断して、要求信号を受けた場合にその判断結果に基づく錠状態信号を出力する錠状態判断手段と、
無線で通信回線に接続されていて、その通信回線を介して所定の通信手段から前記要求信号を受けるとその要求信号を前記錠状態判断手段に出力し、前記錠状態判断手段から前記錠状態信号を受けるとその錠状態信号を前記通信回線を介して前記所定の通信手段に送信する無線通信手段と、
を具えてなる、施錠確認システム。
【請求項２】
前記錠状態判断手段は、前記判断結果が変化した場合にもその変化後の判断結果に基づく錠状態信号を出力することを特徴とする、請求項１記載の施錠確認システム。
【請求項３】
前記施錠センサは、施錠ノブに設けられた永久磁石からの磁気の変化に基づき回動する中継永久磁石と、その中継永久磁石に近接して設けられたリードスイッチとを有することを特徴とする、請求項１または２記載の施錠確認システム。
【請求項４】
永久磁石に対し相対的に変移する中継永久磁石と、
前記中継永久磁石に近接して設けられたリードスイッチと、を具えてなり、
前記中継永久磁石が、前記相対的変移による前記永久磁石からの磁気の変化に基づき回動するものである、磁気式変移センサ。
【発明の詳細な説明】
【技術分野】
【０００１】
この発明は、ドア等の施錠を離れた場所で確認できるようにする施錠確認システムおよびそれに用い得る磁気式変移センサに関するものである。
【背景技術】
【０００２】
従来の施錠確認システムとしては、例えば特許文献１記載のものが知られている。このシステムは、ドアのノブやキーによってデッドボルトを進退させる錠前機構に対向してドア枠に設けられた受座の、前記デッドボルトが進入嵌合する受孔の奥に、押しボタンスイッチを設け、デッドボルトが受孔内に進入するとその押しボタンスイッチが押されて施錠信号を出力し、その施錠信号を無線送信回路で携帯型電子機器に送信し、携帯型電子機器でその施錠信号を受信してその受信時刻を記憶するとともに表示部に表示するというものである。
【０００３】
また、従来の施錠確認システムとしては、例えば特許文献２記載のものも知られている。このシステムは、錠前機構の施錠ノブに設けた水銀スイッチ等の傾斜センサで錠前ノブの傾きを検出することで施錠状態を検出し、留守番電話機能を利用してその施錠状態を示す音信号を伝えるものである。
【特許文献１】特開２００４−１５６２２８
【特許文献２】特開２０００−１０１７３３
【発明の開示】
【発明が解決しようとする課題】
【０００４】
しかしながら、上記前者の従来のシステムでは、受座の受孔の奥に、デッドボルトがその受孔内に進入すると押されて施錠信号を出力する押しボタンスイッチを設置するとともに、その受孔の奥の押しボタンスイッチからの配線を無線送信回路まで引き出す必要があって、設置に手間と時間がかかり、ドアの加工も必要とされるという問題があった。
【０００５】
また、上記後者の従来のシステムでは、回動する施錠ノブに傾斜センサを設けるので、その傾斜センサからの配線が邪魔になるとともにその配線が動かされることになるため断線の可能性もあるという問題があった。
【０００６】
さらに、上記二種類の従来のシステムの何れも、ユーザの不在中にユーザの意思に反して窃盗等のために解錠されてもユーザはそれを知ることができないという問題があった。
【課題を解決するための手段】
【０００７】
この発明は、上記課題を有利に解決することを目的とするものであり、この発明の施錠確認システムは、錠前機構の施錠ノブに設けられた永久磁石からの磁気の変化に基づきその施錠ノブの位置を検出する施錠センサと、前記施錠センサの出力信号に基づき前記錠前機構の状態が施錠中か解錠中かを判断して、要求信号を受けた場合にその判断結果に基づく錠状態信号を出力する錠状態判断手段と、無線で通信回線に接続されていて、その通信回線を介して所定の通信手段から前記要求信号を受けるとその要求信号を前記錠状態判断手段に出力し、前記錠状態判断手段から前記錠状態信号を受けるとその錠状態信号を前記通信回線を介して前記所定の通信手段に送信する無線通信手段と、を具えてなるものである。
【発明の効果】
【０００８】
かかるこの発明の施錠確認システムにあっては、施錠センサが、錠前機構の施錠ノブに設けられた永久磁石からの磁気の変化に基づきその施錠ノブの位置を検出し、錠状態判断手段が、前記施錠センサの出力信号に基づき前記錠前機構の状態が施錠中か解錠中かを判断して、要求信号を受けた場合にその判断結果に基づく錠状態信号を出力する。そして、無線で携帯電話回線等の通信回線に接続されている無線通信手段が、その通信回線を介して携帯電話等の所定のユーザ通信手段から前記要求信号を受けるとその要求信号を前記錠状態判断手段に出力し、前記錠状態判断手段から前記錠状態信号を受けるとその錠状態信号を前記通信回線を介して前記所定のユーザ通信手段に送信する。
【０００９】
従ってこの発明の施錠確認システムによれば、ドア等の表面に露出している施錠ノブの位置を検出するように施錠センサを設ければよいので、システムの設置に手間も時間もほとんどかからず、ドア等の加工も不要とすることができる。また、施錠ノブに配線を要する傾斜センサを設けないので、センサからの配線が邪魔になることがなくまたその配線の断線の可能性も回避することができる。しかも施錠センサに、磁気で作動するため基本的に低消費電力のリードスイッチを用いているので、当該システムを確実に長期間にわたって連続的に作動させることができる。
【００１０】
なお、この発明の施錠確認システムにおいては、前記錠状態判断手段は、前記判断結果が変化した場合にもその変化後の判断結果に基づく錠状態信号を出力するものとしてもよく、このようにすれば、ユーザ通信手段から要求信号を受けた場合のみならず、ユーザの不在中に解錠されて施錠ノブの位置の変化により錠前機構の状態の判断結果が変化した場合にも錠状態信号をユーザ通信手段に送信するので、ユーザの不在中にユーザの意思に反して窃盗等のために解錠された場合にもその解錠を知ることができる。
【００１１】
また、この発明の施錠確認システムにおいては、前記施錠センサは、施錠ノブに設けられた永久磁石からの磁気の変化に基づき回動する中継永久磁石と、その中継永久磁石に近接して設けられたリードスイッチとを有するものとしてもよく、このようにすれば、施錠ノブに設けられた永久磁石からの磁気の変化に基づき先ず中継永久磁石が回動し、その中継永久磁石からの磁気の変化に基づき、その中継永久磁石に近接して設けられたリードスイッチが作動するので、施錠ノブとリードスイッチとの間の距離が比較的大きくても、施錠ノブに設けられた永久磁石からの磁気の変化に基づきリードスイッチを確実に作動させることができる。
【００１２】
さらに、この発明の磁気式変移センサは、永久磁石に対し相対的に変移する中継永久磁石と、前記中継永久磁石に近接して設けられたリードスイッチと、を具えてなり、前記中継永久磁石が、前記相対的変移による前記永久磁石からの磁気の変化に基づき回動するものである。
【００１３】
かかるこの発明の磁気式変移センサを、施錠ノブに設けられた永久磁石に対しその施錠ノブの回動によって相対的に変移する中継永久磁石と、その中継永久磁石に近接して設けられたリードスイッチとを具えるようにして、前記中継永久磁石を、施錠ノブの回動による永久磁石に対する中継永久磁石の相対的変移、例えば施錠ノブの回動によって当該中継永久磁石に対する永久磁石の向きが変化したり当該中継永久磁石に対して永久磁石が接近あるいは離間したりすることによる永久磁石からの磁気の変化に基づいて回動するようにすれば、この発明の施錠確認システムの施錠センサが構成される。
【００１４】
そして通常は数ｍｍ程度まで永久磁石が接近しないとリードスイッチが作動しない処、この発明の磁気式変移センサによれば、永久磁石と中継永久磁石とが離れていても両方とも磁気を帯びているため有効に作用し合うので、永久磁石と、中継永久磁石を伴うリードスイッチとが例えば数ｃｍ程度離れていても、永久磁石と、中継永久磁石を伴うリードスイッチとの相対的な変移によって、リードスイッチを確実に作動させることができる。
【発明を実施するための最良の形態】
【００１５】
以下、本発明の実施の形態を実施例によって、図面に基づき詳細に説明する。ここに、図１は、この発明の施錠確認システムの第１実施例の構成を示す構成図、図２は、その第１実施例の施錠確認システムの設置状態を示す斜視図、図３は、その第１実施例の施錠確認システムの施錠センサによる施錠ノブの位置の検出方法を例示する説明図であり、図中符号１は、この第１実施例の施錠確認システムのケースを示す。
【００１６】
この第１実施例の施錠確認システムは、図２に示すように、ドアＤの、ドアノブＤＮおよび施錠ノブ（サムターン）ＲＮを有してキーまたは施錠ノブＲＮの回動によりデッドボルトＤＢを進退させる通常の施錠機構ＲＭの、その施錠ノブＲＮに隣接する位置（図示例では上方位置）に、例えば図示しない粘着シート等を用いて固定されるもので、図１に示すように、ケース１内に、この発明の磁気式変移センサの一実施例としての磁気検出方式による施錠センサ２と、その施錠センサ２に接続された、錠状態判断手段としての通常のコントローラＣＰＵ（中央処理ユニット）３と、そのコントローラＣＰＵ３に接続された、無線通信手段としての無線電話ユニット（例えば無線パケット通信端末である（商標名）Ｄｏｐａ通信ユニット）４と、それら施錠センサ２、コントローラＣＰＵ３および無線電話ユニット４に電源を供給するバッテリ５とを具えている。
【００１７】
ここで、ケース１の前面には、図３に示すように、各々コントローラＣＰＵ（中央処理ユニット）３に接続された施錠位置切換ＳＷ（スイッチ）６とモード切換ＳＷ（スイッチ）７と状態表示ランプ８とが設けられ、またケース１の上面には、Ｄｏｐａ通信ユニット４に接続されたアンテナ９が設けられており、その一方、ケース１の下面には、磁気を通し易いプラスチック等の材料で形成された突出部１ａが設けられ、その突出部１ａ内には、ケース１の前後方向の水平方向へ延在する支持軸２ａ周りに回動自在に支持された中継永久磁石２ｂが設けられていて、その中継永久磁石２ｂを磁気で回動させるように、施錠ノブＲＮの前端面Ｆに棒状の永久磁石ＭＢが、例えば図示しない接着剤や粘着シート等を用いて固着されている。さらにケース１の下部内には上記中継永久磁石２ｂに近接して、磁気で作動するリードスイッチ２ｃが、ケース１の左右方向の水平方向へ延在する向きで設けられており、それら中継永久磁石２ｂとリードスイッチ２ｃとが、上記施錠センサ２を構成している。
【００１８】
すなわち、施錠ノブＲＮの水平位置への回動により、図４（ａ）に示す如く、Ｎ極が左でＳ極が右に位置するように永久磁石ＭＢが位置すると、その永久磁石ＭＢの磁力線によりその永久磁石ＭＢの向きに応じて中継永久磁石２ｂがＳ極が左でＮ極が右に位置するように回動し、あるいは図４（ｂ）に示す如く、Ｓ極が左でＮ極が右に位置するように永久磁石ＭＢが位置すると、その永久磁石ＭＢの磁力線によりその永久磁石ＭＢの向きに応じて中継永久磁石２ｂがＮ極が左でＳ極が右に位置するように回動し、これらのように中継永久磁石２ｂのＮ極とＳ極とが左右方向に向いていると、その中継永久磁石２ｂの磁力線によりリードスイッチ２ｃ内の可動接点と固定接点とが互いに逆の磁極に帯磁して引き合って、リードスイッチ２ｃがＯＮ（導通）状態となる。
【００１９】
また、施錠ノブＲＮの垂直位置への回動により、図５（ａ）に示す如く、Ｓ極が上でＮ極が下に位置するように永久磁石ＭＢが位置すると、その永久磁石ＭＢの磁力線によりその永久磁石ＭＢの向きに応じて中継永久磁石２ｂがＳ極が上でＮ極が下に位置するように回動し、あるいは図５（ｂ）に示す如く、Ｎ極が上でＳ極が下に位置するように永久磁石ＭＢが位置すると、その永久磁石ＭＢの磁力線によりその永久磁石ＭＢの向きに応じて中継永久磁石２ｂがＮ極が上でＳ極が下に位置するように回動し、これらのように中継永久磁石２ｂのＮ極とＳ極とが上下方向に向いていると、その中継永久磁石２ｂの磁力線によりリードスイッチ２ｃ内の可動接点と固定接点とが互いに同一の磁極に帯磁して反発し合って、リードスイッチ２ｃがＯＦＦ（非導通）状態となる。
【００２０】
そして、施錠位置切換ＳＷ６では、リードスイッチ２ｃがＯＮ（導通）となる施錠ノブＲＮの位置で施錠状態であると判断するか解錠状態であると判断するかを設定でき、例えば通常は図３に実線で示すように施錠ノブＲＮが水平位置に位置すると施錠状態となり、また図３に仮想線で示すように施錠ノブＲＮが垂直位置に位置すると解錠状態となり、図示例では、その施錠ノブＲＮの上方位置にケース１を配置しているので、リードスイッチ２ｃがＯＮ（導通）であるときに施錠状態であると判断するように設定する。
【００２１】
また、モード切換ＳＷ７では、ユーザの携帯電話やパーソナルコンピュータ等から当該施錠確認システムへの通信によるアクセスで起動して施錠状態か解錠状態かを判別し、その携帯電話等に判別結果を信号音やメール等で通報するモード１と、施錠ノブＲＮの位置が施錠状態と解錠状態との間で変化した場合にユーザの指定番号の携帯電話等へ信号音やメール等で通報するモード２とで選択的に作動モードを設定できる。なお、ユーザの指定番号の携帯電話等が複数の場合は、例えばそれら複数の指定番号を監視センターに登録しておき、当該施錠確認システムがその監視センターに通報すればその監視センターが一括して複数の指定番号に通報するようにしてもよい。
【００２２】
そして、状態表示ランプ８は、例えば施錠状態であると判断している間は緑に、解錠状態であると判断している間は赤にそれぞれ点灯し、電源が切れているときは消灯する。
【００２３】
かかる第１実施例の施錠確認システムにあっては、施錠センサ２が、錠前機構ＲＭの施錠ノブＲＮに設けられた永久磁石ＭＢからの磁気（磁力線）の変化に基づき施錠ノブＲＮの位置を検出してその位置に応じた信号を出力し、あらかじめ与えられたプログラムに基づき作動するコントローラＣＰＵ３が、施錠センサ２の出力信号と施錠位置切換ＳＷ６での設定とに基づき、例えば施錠ノブＲＮが水平位置に位置していてリードスイッチ２ｃがＯＮ（導通）状態であることを示す施錠センサ２の出力信号と、そのＯＮ状態で施錠状態であると判断する設定とから、施錠状態であると判断する、というようにして、錠前機構ＲＭの状態が施錠中か解錠中かを判断して、モード１に場合は要求信号を受けた場合にその判断結果に基づく錠状態信号を出力し、モード２の場合はさらに、その判断結果が変化した場合にもその変化後の判断結果に基づく錠状態信号を出力する。そして、無線で携帯電話回線に接続されている無線電話ユニット４が、その携帯電話回線を介して携帯電話やパーソナルコンピュータ等の所定のユーザ通信手段から上記要求信号を受けるとその要求信号をコントローラＣＰＵ３に出力し、コントローラＣＰＵ３から上記錠状態信号を受けるとその錠状態信号を携帯電話回線を介して上記所定のユーザ通信手段に送信する。
【００２４】
従って、この第１実施例の施錠確認システムによれば、ドアＤの表面に露出している施錠ノブＲＮの位置を検出するように施錠センサ２を設ければよいので、システムの設置に手間も時間もほとんどかからず、ドアＤの加工も不要とすることができる。また、施錠ノブＲＮに配線を要する傾斜センサを設けないので、センサからの配線が邪魔になることがなくまたその配線の断線の可能性も回避することができる。そして施錠センサ２に、磁気で作動するため基本的に低消費電力のリードスイッチ２ｃを用いているので、当該システムを確実に長期間にわたって連続的に作動させることができる。
【００２５】
しかもこの第１実施例の施錠確認システムによれば、ユーザ通信手段から要求信号を受けた場合のみならず、ユーザの不在中に解錠されて施錠ノブＲＮの位置の変化により錠前機構の状態の判断結果が変化した場合にも錠状態信号をユーザ通信手段に送信するので、
ユーザ自身が携帯電話等で施錠確認を行う場合だけでなく、ユーザの不在中にユーザの意思に反して窃盗等のために解錠された場合にもその解錠を知ることができる。
【００２６】
なお、図６に示すように、施錠ノブＲＮに設けた永久磁石ＭＢの横方向に中継永久磁石２ｂおよびリードスイッチ２ｃを配置してもよく、その際、図６（ａ）に示すように、中継永久磁石２ｂの上方にリードスイッチ２ｃが位置するように配置した場合には、施錠ノブＲＮが水平位置に位置するときにリードスイッチ２ｃがＯＮ（導通）状態となり、また図６（ｂ）に示すように、中継永久磁石２ｂの横方向にリードスイッチ２ｃが位置するように配置した場合には、施錠ノブＲＮが水平位置に位置するときにリードスイッチ２ｃがＯＦＦ（非導通）状態となる。
【００２７】
図７は、この発明の施錠確認システムの第２実施例の構成を示す構成図、図８は、その第２実施例の施錠確認システムの設置状態を示す斜視図、図９は、その第２実施例の施錠確認システムの施錠センサによる施錠ノブの位置の検出方法の他の例を示す説明図であり、図中先の実施例と同様の部分はそれと同一の符号で示し、また符号１１は、この第２実施例の施錠確認システムのドアユニット、１２は固定ユニットをそれぞれ示す。
【００２８】
すなわち、この第２実施例の施錠確認システムは、図７に示すように、ドアユニット１１と固定ユニット１２とを具えており、ここにおけるドアユニット１１は、図８に示すように、ドアＤの、施錠ノブＲＮに隣接する位置（図示例では上方位置）に、例えば図示しない粘着シート等を用いて固定されるもので、先の第１実施例におけると同様に中継永久磁石２ｂとリードスイッチ２ｃとで構成された施錠センサ２と、微弱電波で通信する微弱無線通信回路１３と、あらかじめ与えられたプログラムに基づき作動して、微弱無線通信回路１３から検出要求信号を受けるとリードスイッチ２ｃの出力信号をデジタル信号として微弱無線通信回路１３に出力する通常のコントローラＣＰＵ（中央処理ユニット）３と、それらコントローラＣＰＵ３および微弱無線通信回路１３に電源を供給するバッテリ５とを具えている。
【００２９】
また、ここにおける固定ユニット１２は、ドアＤ付近の固定位置に設けられるもので、ドアユニット１１のものと同様の微弱無線通信回路１３と、その微弱無線通信回路１３に接続されて先の実施例におけると同様に作動する、錠状態判断手段としての通常のコントローラＣＰＵ（中央処理ユニット）３と、そのコントローラＣＰＵ３に接続された、無線通信手段としての無線電話ユニット（例えば無線パケット通信端末である（商標名）Ｄｏｐａ通信ユニット）４と、それら微弱無線通信回路１３、コントローラＣＰＵ３および無線電話ユニット４に電源を供給するバッテリ５と、交流（ＡＣ）１００Ｖの商用電源に接続されてそのバッテリ５をトリクル充電（維持充電）するトリクル充電回路１４とを具えており、コントローラＣＰＵ３には、先の実施例におけると同様の施錠位置切換ＳＷ６とモード切換ＳＷ７とが接続されている。
【００３０】
ここで、中継永久磁石２ｂとリードスイッチ２ｃとは、図８に破線で示すように、ドアユニット１１のケースの下部に設けられて、施錠ノブＲＮに隣接するように配置され、一方、施錠ノブＲＮの前端面Ｆには棒状の永久磁石ＭＢが、図示例では粘着テープ１５によって固定されており、これにより、施錠ノブＲＮの回動位置によって、施錠ノブＲＮが図５に示すように垂直位置になると、永久磁石ＭＢの磁気で中継永久磁石２ｂのＮ極とＳ極とが上下方向に向いて、リードスイッチ２ｃがＯＦＦ状態になり、施錠ノブＲＮが水平位置になると、永久磁石ＭＢの磁気で中継永久磁石２ｂのＮ極とＳ極とが左右方向に向いて、リードスイッチ２ｃがＯＮ状態になり、これにより施錠センサ２は、施錠状態か解錠状態かで異なる信号を出力する。なお、永久磁石ＭＢは、図９に示すように、Ｕ字状のプラスチックケース１６の中央部内に埋設し、そのプラスチックケース１６を軟質にして粘着テープで施錠ノブＲＮに固着したり、そのプラスチックケース１６を硬質にして施錠ノブＲＮを弾性で挟持したり施錠ノブＲＮに嵌着したりしても良い。
【００３１】
かかる第２実施例の施錠確認システムによっても、先の実施例と同様の作用効果が得られ、この第２実施例の施錠確認システムによればさらに、システムを微弱無線通信回路１３同士で互いに無線通信するドアユニット１１と固定ユニット１２とに分けて、ドアユニット１１の施錠センサ２に磁気で作動するため基本的に低消費電力のリードスイッチ２ｃを用いているとともに、固定ユニット１２にトリクル充電回路１４を設けたので、ドアＤに設けるユニットを小型化し得るとともに、当該システムを確実に長期間にわたって連続的に作動させることができる。
【００３２】
以上、図示例に基づき説明したが、この発明は上述の例に限定されるものでなく、例えば、磁力が弱めの比較的小さな永久磁石をそのＮ極とＳ極とが前後方向に向く向きで錠前機構の施錠ノブの側端部に設けるとともに、中継永久磁石をその支持軸がケースの左右方向へ水平に延在する向きで配置し、さらにリードスイッチをケースの前後方向の水平方向へ延在する向きで設けても良く、この場合には、施錠ノブが垂直位置になるとその側端部に設けた永久磁石の磁力で中継永久磁石がそのＮ極とＳ極とがケースの前後方向に向く向きに回動してリードスイッチがＯＮになり、また施錠ノブが水平位置になるとその側端部に設けた永久磁石から離間してその磁力から開放された中継永久磁石のＮ極またはＳ極がリードスイッチの可動接点と固定接点に引かれて、中継永久磁石がそのＮ極とＳ極とがケースの上下方向に向く向きに回動してリードスイッチがＯＦＦになるので、このようにしても施錠ノブの回動位置を施錠センサで検出することができる。
【００３３】
また、この発明においては、錠前機構の施錠ノブに設ける永久磁石を強力なものとして、その永久磁石で施錠センサのリードスイッチを、中継永久磁石を介さず直接的に作動させるようにしても良く、さらに、施錠ノブに設ける永久磁石や中継永久磁石の形状や配置を、上記図示例と異ならせても良い。
【００３４】
一方、この発明の磁気式変移センサは、上記例の施錠確認システムに用いる以外に、例えば永久磁石を窓ガラス枠やドア等に固定し、中継永久磁石およびリードスイッチを窓の外枠やドア枠等の付近の適当な位置に固定するようにしても良く、このようにすれば、従来よりもセンサの設置場所の制約を受けることなしに、窓やドア等の開閉状態を検出することができる。
【産業上の利用可能性】
【００３５】
かくしてこの発明の施錠確認システムによれば、ドアの表面に露出している施錠ノブの位置を検出するように施錠センサを設ければよいので、システムの設置に手間も時間もほとんどかからず、ドアの加工も不要とすることができる。また、施錠ノブに配線を要する傾斜センサを設けないので、センサからの配線が邪魔になることがなくまたその配線の断線の可能性も回避することができる。しかも施錠センサに、磁気で作動するため基本的に低消費電力のリードスイッチを用いているので、当該システムを確実に長期間にわたって連続的に作動させることができる。
【００３６】
また、上記施錠確認システムに用い得るこの発明の磁気式変移センサによれば、永久磁石と、中継永久磁石を伴うリードスイッチとが多少離れていても、リードスイッチを確実に作動させることができる。
【図面の簡単な説明】
【００３７】
【図１】この発明の施錠確認システムの第１実施例の構成を示す構成図である。
【図２】上記第１実施例の施錠確認システムの設置状態を示す斜視図である。
【図３】上記第１実施例の施錠確認システムの施錠センサによる施錠ノブの位置の検出方法を例示する説明図である。
【図４】（ａ），（ｂ）は、上記第１実施例の施錠確認システムの、この発明の磁気式変移センサの一実施例としての施錠センサの、リードスイッチがＯＮ状態となる状態をそれぞれ示す説明図である。
【図５】（ａ），（ｂ）は、上記第１実施例の施錠確認システムの、上記実施例の施錠センサのリードスイッチがＯＦＦ状態となる状態をそれぞれ示す説明図である。
【図６】（ａ），（ｂ）は、上記第１実施例の施錠確認システムの施錠センサを施錠ノブの横方向に、中継永久磁石に対するリードスイッチの向きを互いに変えて配置した場合の、リードスイッチの状態をそれぞれ示す説明図である。
【図７】この発明の施錠確認システムの第２実施例の構成を示す構成図である。
【図８】上記第２実施例の施錠確認システムの設置状態を示す斜視図である。
【図９】上記第２実施例の施錠確認システムの施錠センサによる施錠ノブの位置の検出方法の他の例を示す説明図である。
【符号の説明】
【００３８】
１  ケース
２  施錠センサ
２ａ  支持軸
２ｂ  中継永久磁石
２ｃ  リードスイッチ
３  コントローラＣＰＵ
４  無線電話ユニット
５  バッテリ
６  施錠位置切換ＳＷ
７  モード切換ＳＷ
８  状態表示ランプ
９  アンテナ
１０  反射板
１１  ドアユニット
１２  固定ユニット
１３  微弱無線通信回路
１４  トリクル充電回路
１５  粘着テープ
１６  プラスチックケース
Ｄ  ドア
ＤＢ  デッドボルト
ＤＮ  ドアノブ
ＭＢ  永久磁石
ＲＭ  施錠機構
ＲＮ  施錠ノブ
【図１】
2006063613.tif 000003
【図２】
2006063613.tif 000004
【図３】
2006063613.tif 000005
【図４】
2006063613.tif 000006
【図５】
2006063613.tif 000007
【図６】
2006063613.tif 000008
【図７】
2006063613.tif 000009
【図８】
2006063613.tif 000010
【図９】
2006063613.tif 000011